(57)【特許請求の範囲】
【請求項１】
パイプ支持具本体上に横ならびに複数のパイプ保持部を設け、これらパイプ保持部の間に、取付け対象物に設けたスタッドボルトへの挿篏部を設け、上記各パイプ保持部にパイプ挿入口と該パイプ挿入口に面してパイプ抜け止め片を設け、パイプ挿入口の底部にパイプ受け座を設け、上記挿篏部に、スタッドボルトに対する挿入口と、挿入口内壁の一側又は両側に設けた下方に延びる抜け止め片を設けたパイプ支持具において、
上記挿入口の底部に、底部壁の内壁から底部中央に向けて延びる可動片を設け、上記挿入口の周囲上面に取り付けられ、該上面から横方向に延びる弾性部材を設けてなることを特徴とするパイプ支持具。
【発明の詳細な説明】
【０００１】
【産業上の利用分野】
本発明はパイプ支持具に関し、さらに詳しくは、例えば、自動車車体に燃料パイプ，ブレーキチューブ等のパイプ類を取付けるためのパイプ支持具に関する。
【０００２】
【従来の技術】
従来、パイプ挿入口に面してパイプ抜け止め片を備え、挿入口底部にパイプ受け座を設け、その本体に、取付け対象物に設けたスタッドボルトへの挿嵌部を設けたパイプ支持具は公知であった。（例えば特公平５−８５７９６号参照）
【０００３】
【発明が解決しようとする課題】
しかし、従来のパイプ支持具は、それが、取付け対象物（以下ボディーという）にスタッドボルトを介して、十分かつ正確に取付けられていることを視認することは容易ではなかった。
もしボディーとパイプ支持具との結合が十分でないと、両者の間に生じる隙間によって、パイプ保持具が、ガタつくことがあった。
【０００４】
【課題を解決するための手段】
本発明は、上記課題を解決することを目的とするもので、その要旨は、パイプ支持具本体上に横ならびに複数のパイプ保持部を設け、これらパイプ保持部の間に取付け対象物に設けたスタッドボルトへの挿篏部を設け、上記各パイプ保持部にパイプ挿入口と該パイプ挿入口に面してパイプ抜け止め片を設け、パイプ挿入口の底部にパイプ受け座を設け、上記挿篏部に、スタッドボルトに対する挿入口と、挿入口内壁の一側又は両側に設けた下方に延びる抜け止め片を設けたパイプ支持具において、上記挿入口の底部に、底部壁の内壁から底部中央に向けて延びる可動片を設け、上記挿入口の周囲上面に取り付けられ、該上面から横方向に延びる弾性部材を設けてなることを特徴とするパイプ支持具にある。
【０００５】
【作用】
本発明においては、パイプ支持具をスタッドボルトに取付けたさい、挿嵌部のボルト挿入口底部に設けた可動片が、挿入されるスタッドボルトの下端によって外方に押し出されるので、それによって、パイプ支持具が取付け対象物に正確に取付けられたことを視認する。
また、スタッドボルトの挿入口に隣接して設けられた弾性部材は、その弾性によって、取付け対象物とパイプ支持具との間隙を埋めて、パイプ支持具のガタつきを阻止する。
【０００６】
【実施例】
図１は、取付け対象物（以下、ボディーという）１、例えばエンジンルーム内壁とそれに固着されたスタッドボルト２を示す。
図２ないし図６は本発明のパイプ支持具を示し、これは硬質弾性体、例えば弾性硬質合成樹脂によって成形されている。各図において、１１はパイプ支持具本体、１２は本体１１上に横ならびに設けられたパイプ保持部である。図には６個のパイプ保持部が示されている。
【０００７】
各保持部は、パイプ挿入口１３と、その片側又は両側から下方に向けて延びるパイプ抜け止め片１４と挿入口底部に設けたパイプ受け座１５からなる。
パイプ抜け止め片１４の長さまたは形状および受け座１５の大きさは、受け入れるパイプの太さによって決定される。
【０００８】
図２に向って最も左側の保持部は大径のパイプ用のものであり、最も右側の保持部は小径のパイプ用のものである。また、左側から３番目の保持部にみられるようにパイプ抜け止め片１４を、パイプ挿入口１３の両側に設けてもよく、受け座１５を上方に向けて開く一対の弾性片１６によって形成してもよい。なお、１７は、パイプ抜け止め片および受け座と共に保持部を形成する立上り部である。  上記の構造は、従来、この種のパイプ支持具においてよく知られており、保持部の数、抜け止め片および受け座の形状および構造は、保持されるパイプの配置状況によって、任意に設計しうるものである。
【０００９】
図２〜図６において、３は挿嵌部である。挿嵌部３において、１８はスタッドボルト２の挿入口であり、挿入口両側の立上り部１９，１９からそれぞれ抜け止め片２０，２０が、２段になって下方に向けて延びている。
各抜け止め片２０は、その先端に凹部２１をもち、正面図においてカニの爪状になっている。  挿入口１８の底部には貫通孔２２が設けられており、その両側の本体１１から可動片２３が中央に向けて延びている。この可動片２３，２３は、その先端部が互いに衡き合わされているか、あるいは予め可動片２３，２３よりは薄い連結膜によって連結されている。
図示の可動片２３の先端には盛り上り部２４が形成されている。
挿入口１８の上部には、本体１１の巾の方向に、立上り部１９，１９の上面中央から互いに反対方向に延びる弾性部材２５，２５が形成されている。この弾性部材は、図示の実施例では、短冊状のものである。
【００１０】
本実施例は、上述のように構成され、次のように用いられる。
まず、図２の左端のパイプ保持部１２に、仮想線で示されるように、パイプを各保持部に適宜挿嵌させたのち、同図の矢印で示されるように、図１に図示したスタッドボルト２に向けてパイプ支持具を上方に移動し、挿入口１８にスタッドボルト２を挿入する。
【００１１】
すると、各抜け止め片２０はスタッドボルトによって押し開らかれ、パイプ支持具がボディー１に十分かつ正確に取付けられたときに、スタッドボルト２の下端は、可動片２３を下方に押し開き、図５に示す状態になる。これによって、外部からの視認が極めて容易になる。
このとき、各抜け止め片２０は、その先端がスタッドボルトのねじ溝にくい込んで、スタッドボルトが挿入口１８から抜け出すことを阻止する。凹部２１はスタッドボルト２への係合に役立つ。
なお、上記可動片２３の盛り上り部２４はスタッドボルトによる可動片２３の押し開き作用を助け、ボディー１に対してパイプ支持具が十分かつ正確に取付けられたことを視認することに役立つ。
【００１２】
また、そのさい、弾性部材２５，２５は、図５に示すように、その両端部がボディー１に押されて下向に撓み、ボディー１に対してパイプ支持具を常に弾性的に結合させ、両者の間にガタが生じることを防止する。
【００１３】
【発明の効果】
本発明によれば、ボディーのスタッドボルトに対し、パイプ支持具の取付けをワンタッチで行うことができるとともに、パイプ支持具の取付けが、十分かつ正確に行なわれたかどうかを、本体下面に設けた可動片の突出によって、容易に視認でき、もちろん、手で触れて確認することもできる。
とくに、組立工程での上向き作業によってパイプ支持具をボディーに取付ける場合、その能率を著るしく改善することができる。
また、スタッドボルトに対するパイプ支持具の取付けが抜け止め片およびその弾性によって行なわれるので、スタッドボルトの直径または形状に変化があっても、それに適応して確実な支持作用を発揮することができる。
さらに、パイプ支持具のスタッドボルト挿入口に隣接して、弾性部材を配置したので、ボディーに対するパイプ支持具の結合を緩みのないものとし、両者の間に生じるガタを無くすることができる。
【図面の簡単な説明】
【図１】  ボディーとそれに植設されたスタッドボルトを示す正面図である。
【図２】  本発明のパイプ支持具の正面図である。
【図３】  本発明のパイプ支持具の平面図である。
【図４】  図２のＡ−Ａ線による断面図である。
【図５】  ボディーに本発明のパイプ支持具が取付けられた状態を示す、図４と同様の断面図である。
【図６】  本発明のパイプ支持具の斜視図である。
【符号の説明】
１  取付け対象物（ボディー）
２  スタッドボルト
１１  パイプ支持具の本体
１２  パイプ保持部
１３  パイプ挿入口
１４  パイプ抜け止め片
１５  パイプ受け座
１８  スタッドボルト挿入口
１９  立上り部
２０  抜け止め片
２２  貫通孔
２３  可動片
２５  弾性部材
【図１】
0003850051.tif 000002
【図２】
0003850051.tif 000003
【図３】
0003850051.tif 000004
【図４】
0003850051.tif 000005
【図５】
0003850051.tif 000006
【図６】
0003850051.tif 000007